(57)【要約】【課題】  重量および軽量床衝撃音を減少させることができる床構造の構築方法を提供することである。【解決手段】  床構造の構築方法は、コンクリートスラブ１の上面に発泡樹脂製の束材２を多数設置した後、該束材２の上部を、際根太３の上面の基準レベルと平行になるように切断してレベル調整をした後、束材２の上に床下地材５を設置し、該床下地材５の上面に仕上材６を張ることである。【選択図】図１
2006045887.tif 000002
【特許請求の範囲】
【請求項１】
コンクリートスラブの上面に発泡樹脂製の束材を多数設置した後、該束材の上部を、側壁の基準レベルと平行になるように切断してレベル調整をした後、束材の上に床下地材を設置し、該床下地材の上面に仕上材を張ることを特徴とする床構造の構築方法。
【請求項２】
方形な上板の下面四隅に伸縮自在な支持脚を設け、該支持脚の内側における上板下面に発泡樹脂製の緩衝体を設けてなる床下地材を、コンクリートスラブの上面に連続して設置するとともに、支持脚で床下地材のレベルを調整した後、該床下地材の上面に仕上材を張ることを特徴とする床構造の構築方法。
【請求項３】
コンクリートスラブの上面に不陸調整材としてのモルタルを充填した筒状の支持脚を多数設置した後、該支持脚の上に床下地材を設置してこの床下地材の上面と際根太の上面が一致するようにレベル調整をした後、床下地材の上面に仕上材を張ることを特徴とする床構造の構築方法。
【請求項４】
床下地材は、上面が開口した発泡樹脂製の函体に発泡樹脂製の蓋体が嵌め合わされ、該蓋体の内面に突設された緩衝体が函体内に嵌合されてなることを特徴とする請求項１または３に記載の床構造の構築方法。
【請求項５】
束材および緩衝体は、圧縮バネ定数が３０×１０６Ｎ／ｍ３以下のエラスチックな発泡樹脂であることを特徴とする請求項１、２、４のいずれかに記載の床構造の構築方法。
【発明の詳細な説明】
【技術分野】
【０００１】
本発明は床構造の構築方法に関するものである。
【背景技術】
【０００２】
従来の集合住宅の床構造としては、床下配管の取り回しをスムーズに行うために、図５に示すようなものがある。これは床材２８に支持脚２９を設け、該支持脚２９の防振ゴム板３０で際根太などを基準に支持脚の高さを調整して床の水平方向のレベル調整を行って重量および軽量床衝撃音の影響を少なくしていた。またこの他に、床板を支持脚で支持して重量および軽量床衝撃音の影響を少なくする床構造として、例えば特開２００２−７０２９０号公報、特開２００１−３４８９８６号公報および特開平７−１３９１２９号公報の発明がある。
【特許文献１】特開２００２−７０２９０号公報、
【特許文献２】特開２００１−３４８９８６号公報
【特許文献３】特開平７−１３９１２９号公報
【発明の開示】
【発明が解決しようとする課題】
【０００３】
しかし、上記の床構造においては床下地材の空間が大きいことなどから防振ゴム板によってでは重量および軽量床衝撃音を十分に減少させることができなかった。
【０００４】
本発明はこれらの問題に鑑みてなされたものであり、その目的は、重量および軽量床衝撃音を減少させることができる床構造の構築方法を提供することである。
【課題を解決するための手段】
【０００５】
以上の課題を解決するための床構造の構築方法は、コンクリートスラブの上面に発泡樹脂製の束材を多数設置した後、該束材の上部を、際根太の上面の基準レベルと平行になるように切断してレベル調整をした後、束材の上に床下地材を設置し、該床下地材の上面に仕上材を張ることを特徴とする。また床下地材は、上面が開口した発泡樹脂製の函体に発泡樹脂製の蓋体が嵌め合わされ、該蓋体の内面に突設された緩衝体が函体内に嵌合されてなることを含む。また束材および緩衝体は、圧縮バネ定数が３０×１０６Ｎ／ｍ３以下のエラスチックな発泡樹脂であることを含むものである。
【０００６】
また床構造の構築方法は、方形な上板の下面四隅に伸縮自在な支持脚を設け、該支持脚の内側における上板下面に発泡樹脂製の緩衝体を設けてなる床下地材を、コンクリートスラブの上面に連続して設置するとともに、支持脚で床下地材のレベルを調整した後、該床下地材の上面に仕上材を張ることを特徴とする。また緩衝体は圧縮バネ定数が３０×１０６Ｎ／ｍ３以下のエラスチックな発泡樹脂であることを含む。
【０００７】
また床構造の構築方法は、コンクリートスラブの上面に不陸調整材としてのモルタルを充填した筒状の支持脚を多数設置した後、該支持脚の上に床下地材を設置してこの床下地材の上面と際根太の上面が一致するようにレベル調整をした後、床下地材の上面に仕上材を張ることを特徴とする。また床下地材は、上面が開口した発泡樹脂製の函体に発泡樹脂製の蓋体が嵌め合わされ、該蓋体の内面に突設された緩衝体が函体内に嵌合されてなることを含む。また緩衝体は圧縮バネ定数が３０×１０６Ｎ／ｍ３以下のエラスチックな発泡樹脂であることを含むものである。
【発明の効果】
【０００８】
合成樹脂製の束材の上に床下地材が設置されたことにより、また蓋体の内面に突設された緩衝体が函体内に嵌合されたことにより、重量および軽量床衝撃音を効果的に吸収することができるとともに、いわゆる太鼓現象という共振現象を防ぐことができる。また乾式施工により床構造が短期間で構築でき、しかも床下配管も簡単に避けることができる。
【発明を実施するための最良の形態】
【０００９】
以下、本発明の床構造の構築方法の実施の形態を図面に基づいて説明する。また各実施の形態において同じ構成は同じ符号を付して説明し、異なった構成にのみ異なった符号を付して説明する。
【００１０】
図１は第１の実施の形態の床構造の構築方法を示したものである。この方法は、はじめに、（１）に示すように、集合住宅のコンクリートスラブ１の上面に、発泡樹脂製の束材２を適宜間隔ごとに設置する。次に、この束材２の上部を側壁の基準レベル４ａ、例えば際根太３の上面と平行になるように二点差線のライン４ｂで切断して、コンクリートスラブ１の不陸を調整する。次に、この不陸調整後に、（２）に示すように、束材２に発泡樹脂製の床下地材５を接着する。そして、この床下地材５の上面に仕上材６を張って床構造７を構築する。
【００１１】
また床下地材５はポリスチレン系樹脂やポリオレフィン系樹脂、ウレタン樹脂などの発泡樹脂複合体であり、上面に硬質熱可塑性発泡樹脂の桟木８が設けられている。また束材２は、ポリスチレン系樹脂やポリオレフィン系樹脂、ウレタン樹脂などの発泡樹脂の他、圧縮バネ定数が３０×１０６Ｎ／ｍ３以下のエラスチックな発泡樹脂およびこれらの複合体であってもよく、床に強度が必要とされないエリアにはエラスチックな発泡樹脂が使用され、床に強度が必要とされる人が踏み込むエリアにはその他の発泡樹脂が使用されるなど、必要に応じて使い分けられる。
【００１２】
また床下地材５は、図２に示すように、上面が開口した矩形の函体９と、蓋体１０とが一体嵌合したものであってもよい。この函体９は発泡樹脂複合体であり、ポリスチレン系樹脂やポリオレフィン系樹脂、ウレタン樹脂などの発泡樹脂で平面矩形に形成され、その内側に隔壁１１により複数の区画室１２が形成されている。また蓋体１０も上記函体９と同じ発泡樹脂複合体であり、上面に硬質熱可塑性発泡樹脂の桟木８が設けられるとともに、下面には圧縮バネ定数が３０×１０６Ｎ／ｍ３以下のエラスチックな緩衝体１３が設けられ、これが函体９の区画室１２に嵌入されている。
【００１３】
また床下地材５はパーチクルボードなどの硬質板であってもよく、硬質板にすることにより、床下地材５の設置と同時にその上に作業者が載って作業することが可能になる。
【００１４】
このような床構造７は、重量および軽量床衝撃音を効果的に吸収することができるとともに、下部の空間１４の配管１４も簡単に避けることができる。
【００１５】
図３は第２の実施の形態の床構造１６の構築方法を示したものである。この方法は、方形な上板１７の下面四隅に伸縮自在な支持脚１８を設け、該支持脚１８の内側における上板１７の下面に発泡樹脂製の緩衝体１３を設けてなる床下地材１９を使用したものである。はじめに、この床下地材１９をコンクリートスラブ１の上面に連続して設置するとともに、支持脚１８で床下地材１９のレベルを調整した後、該床下地材１９の上に仕上材６を張るものである。
【００１６】
この上板１７は、上記と同様にパーチクルボードなどの硬質板である。また緩衝体１３もポリスチレン系樹脂やポリオレフィン系樹脂、ウレタン樹脂などの発泡樹脂複合体の他、一部または全部が圧縮バネ定数が３０×１０６Ｎ／ｍ３以下のエラスチックな発泡樹脂複合体である。この緩衝体１３により、重量および軽量床衝撃音を効果的に吸収することができる。また配管１５がある場合は、図示するように、緩衝体１３を必要最小限切欠いて避けるものとする。
【００１７】
また支持脚１８は、上板１７に設けた袋ナット２１と、この袋ナット２１にねじ込まれたボルト２２と、該ボルト２２の下部に設けた防振ゴム板２３とから構成され、上記ボルト２２の回転による上下動により床下地材１９の高さ調整ができるようになっている。
【００１８】
図４は第３の実施の形態の床構造２４の構築方法を示したものである。この方法は、筒状の支持脚２５を使用したものである。これは、図４に示すように、コンクリートスラブ１の上面にモルタルなどの不陸調整材２７を充填した筒状の支持脚２５を多数設置した後、上部または下部からモルタルが溢れ出た支持脚２５の上に床下地材２６を設置し、該床下地材２６をその上面と際根太３の上面とが一致するようにレベル調整をした後、床下地材２６の上面に仕上材６を張るものである。すなわち、支持脚２５の上部または下部から溢れ出たモルタルなどの不陸調整材２７により、床下地材２６のレベル調整を行うものである。このようにモルタルなどの不陸調整材２７でレベル調整をする際に、モルタルはその外周を筒状の支軸脚２５で拘束されているため、この支持脚２５が占有する面積以上に広がらないようになっている。また上記の支持脚２５は紙製または塩化ビニル製である。
【００１９】
この床下地材２６は、図２と同じものであり、この他にも図１や図３の床下地材１９、２６や、パーチクルボードなどの硬質板にすることもできる。
【００２０】
この床構造２４は、上記と同様に重量および軽量床衝撃音を効果的に吸収することができるとともに、下部空間１４への配管１５も容易に行うことができる。
【図面の簡単な説明】
【００２１】
【図１】第１の実施の形態の床構造の構築方法であり、（１）および（２）は断面図である。
【図２】（１）は床下地材の断面図、（２）は一部切欠平面図、（３）は函体と蓋体とが分離し  た断面図である。
【図３】第２の実施の形態の床構造の構築方法の断面図である。
【図４】第３の実施の形態の床構造の構築方法の断面図である。
【図５】従来の床構造の構築方法の断面図である。
【符号の説明】
【００２２】
１  コンクリートスラブ
２  束材
３  際根太
４ａ  基準レベル
４ｂ  二点鎖線のライン
５、１９、２６  床下地材
６  仕上材
７、１６、２４  床構造
８  桟木
９  函体
１０  蓋体
１１  隔壁
１２  区画室
１３  緩衝体
１４  空間
１５  配管
１７  上板
１８、２５、２９  支持脚
２１  袋ナット
２２  ボルト
２３、３０  防振ゴム板
２７  不陸調整材
２８  床材
【図１】
2006045887.tif 000003
【図２】
2006045887.tif 000004
【図３】
2006045887.tif 000005
【図４】
2006045887.tif 000006
【図５】
2006045887.tif 000007